(57)【要約】【課題】  構成部品が簡素化されたモータを提供すること。【解決手段】  本発明のモータは、周縁に沿って貫通孔１１が設けられ、中央部に貫通部１５が設けられる固定子１０と、貫通部１５内に設けられ、回転中心から延長されて回転軸３０が設けられ、固定子１０と電磁相互作用により回転する回転子２０と、回転子２０の一方の回転軸３０が回転自在に支持される貫通孔４７が設けられ、所定の弾性変形が可能な弾性枝部４２を有し、固定子１０の貫通孔１１を貫通する締付棒４１が設けられる第１のブラケット４０と、回転子２０の他方の回転軸３０が回転自在に支持される貫通孔５４が設けられ、第１のブラケット４０の締付棒４１との対応位置に弾性枝部４２が係止される締付孔５１が設けられる第２のブラケット５０と、を備えることを特徴とする。【選択図】      図２
2006109690.tif 000002
【特許請求の範囲】
【請求項１】
周縁に沿って貫通孔が設けられ、中央部に貫通部が設けられる固定子と、
前記貫通部内に設けられ、回転中心から延長されて回転軸が設けられ、前記固定子との電磁相互作用により回転する回転子と、
前記回転子の一方の回転軸が回転自在に支持される貫通孔が設けられ、所定の弾性変形が可能な弾性枝部を有し、前記固定子の貫通孔を貫通する締付棒が設けられている第１のブラケットと、
前記回転子の他方の回転軸が回転自在に支持される貫通孔が設けられ、前記第１のブラケットの締付棒との対応位置に前記弾性枝部が係止される締付孔が設けられている第２のブラケットと、
を備えることを特徴とするモータ。
【請求項２】
前記固定子の前記貫通孔の両端には、その直径に比べて相対的に大径部となる凹部がそれぞれ設けられていることを特徴とする、請求項１に記載のモータ。
【請求項３】
前記第１のブラケットの締付棒の基部には、前記固定子の凹部の内径と対応する外径を有する凸部が設けられ、
前記第２のブラケットの前記締付孔の入口には、前記固定子の凹部の内径に対応する外径を有する凸部が設けられ、
前記第１及び第２のモータブラケットが締め付けられた状態で、前記第１及び第２のブラケットの凸部が、前記固定子の凹部に凹凸嵌合されることを特徴とする、請求項２に記載のモータ。
【請求項４】
前記締付棒の先端には、前記締付棒が前記締付孔へ締め付けられる方向に直交する方向に、互いに離隔して弾性変形が可能な少なくとも一対の弾性枝部が設けられ、
前記弾性枝部の先端には、前記締付棒が前記締付孔に締め付けられた状態で、前記締付孔内部の係止段に係止されて、前記第２のブラケットと締め付けられる係止突起がそれぞれ設けられていることを特徴とする、請求項１に記載のモータ。
【請求項５】
前記係止突起の外側面には、先端が相対的に小幅となるように、所定の角度で傾斜して形成されて、前記締付孔に締め付けられる前記締付棒を案内する案内斜面が設けられていることを特徴とする、請求項４に記載のモータ。
【請求項６】
前記第２のブラケットの締付孔が、相対的小径部と相対的大径部で構成され、前記直径が変わる部分に、前記係止段が設けられていることを特徴とする、請求項５に記載のモータ。
【請求項７】
前記第１及び第２のブラケットが、合成樹脂材質で形成されていることを特徴とする、請求項１に記載のモータ。
【発明の詳細な説明】
【技術分野】
【０００１】
本発明は、モータに関し、より詳しくは、電気エネルギーを用いて回転力を作り出すモータに関する。
【背景技術】
【０００２】
図１は、従来の技術によるモータを示す分解横断面図である。図１に示すように、モータは、回転子(ロータ)２が固定子(ステータ)１の中央を貫通して設けられ、前記回転子２の回転軸３は、第１及び第２のブラケット４、５を貫通して回転自在に支持される。前記固定子１は、前記第１及び第２のブラケット４、５と結合される。
【０００３】
このため、前記固定子１の周縁を取り囲む第１及び第２のブラケット４、５の締付のためのスクリュー６が貫通する複数個の貫通孔１ａが設けられている。また、前記固定子１には、回転子２が貫通する貫通部１ｂが設けられている。
【０００４】
前記回転子２は、前記貫通部１ｂに前記固定子１の内径と所定の間隔を置いて設けられ、前記固定子１との電磁相互作用により回転軸３を中心にして回転運動を行う。
【０００５】
前記第１のブラケット４には、前記貫通孔１ａに対応する位置に、前記スクリュー６が貫通する締付孔４ａがそれぞれ設けられている。前記第１のブラケットの中央には、前記回転軸３の一端が貫通する貫通孔４ｂが設けられている。
【０００６】
前記第１のブラケット４の締付孔４ａに対応する第２ブラケット５の両側には、締付孔５ａがそれぞれ設けられている。前記締付孔５ａには、前記第１のブラケット４の締付孔４ａと前記固定子１の貫通孔１ａとを順に貫通した前記スクリュー６が締め付けられている。また、前記第２のブラケット５には、前記回転軸３の他端が貫通する貫通孔５ｂが設けられている。
【０００７】
この種のモータでは、前記スクリュー６が前記第１のブラケット４の締付孔４ａと前記固定子１の貫通孔１ａとを順に貫通して、前記第２のブラケット５の締付孔５ａに締め付けられることにより、前記第１及び第２のブラケット４、５が締め付けられる。
【０００８】
しかしながら、このような従来の技術では、次のような問題があった。
【０００９】
上述したように、前記固定子１と第１及び第２のブラケット４、５を結合するためには、スクリュー６が用いられている。従って、モータを構成する部品数が増えてしまうという問題点があった。
【００１０】
また、前記スクリュー６を用いて、固定子１と第１及び第２のブラケット４、５を締め付けるためには、必ずドライバのような道具を用いなければならなかった。従って、作業者によるモータの組立て及び取外し作業が複雑かつ煩雑になるという問題点もあった。
【００１１】
また、スクリュー６で固定子１と第１及び第２のブラケット４、５を締め付けた場合、モータの長期使用による振動のため、前記スクリュー６の締付状態が緩くなることがある。このように、前記スクリュー６の締付状態が緩くなると、モータの動作中に騒音が発生し、さらには、前記回転軸３やブラケット４、５が損傷してしまうという問題点があった。
【００１２】
さらに、前記第１及び第２のブラケット４、５を締め付ける前記スクリュー６は、一般に金属材質から成形される。従って、高湿の場所、例えば、冷蔵庫などにモータを適用した場合、スクリュー６が水分によって腐食してしまう恐れがあった。
【発明の開示】
【発明が解決しようとする課題】
【００１３】
本発明は、上記問題点に鑑みなされたものであり、構成部品が簡素化されたモータを提供することを目的とする。
【００１４】
また、結合状態が堅固なモータを提供することを他の目的とする。
【００１５】
また、高湿の場所で使用可能なモータを提供することをさらに他の目的とする。
【課題を解決するための手段】
【００１６】
上記の目的を達成するため、本発明によるモータは、周縁に沿って貫通孔が設けられ、中央部に貫通部が設けられる固定子と、前記貫通部内に設けられ、回転中心から延長されて回転軸が設けられ、前記固定子との電磁相互作用により回転する回転子と、前記回転子の一方の回転軸が回転自在に支持される貫通孔が設けられ、所定の弾性変形が可能な弾性枝部を有し、前記固定子の貫通孔を貫通する締付棒が設けられる第１のブラケットと、前記回転子の他方の回転軸が回転自在に支持される貫通孔が設けられ、前記第１のブラケットの締付棒との対応位置に前記弾性枝部が係止される締付孔が設けられる第２のブラケットと、を備えることを特徴とする。
【００１７】
また、前記固定子の前記貫通孔の両端には、その直径に比べて相対的に大径部となる凹部（安着段）がそれぞれ設けられることが好ましい。
【００１８】
また、前記第１のブラケットの締付棒の基部には、前記固定子の凹部の内径と対応する外径を有する凸部（安着突部）が設けられ、前記第２のブラケットの前記締付孔の入口には、前記固定子の凹部の内径に対応する外径を有する凸部が設けられ、前記第１及び第２のモータブラケットが締め付けられた状態で、前記第１及び第２のブラケットの凸部が、前記固定子の凹部に凹凸嵌合されることが好ましい。
【００１９】
また、前記締付棒の先端には、前記締付棒が前記締付孔へ締め付けられる方向に直交する方向に、互いに離隔して弾性変形が可能な少なくとも一対の弾性枝部が設けられ、前記弾性枝部の先端には、前記締付棒が前記締付孔に締め付けられた状態で、前記締付孔内部の係止段に係止されて、前記第２のブラケットと締め付けられる係止突起がそれぞれ設けられることが好ましい。
【００２０】
また、前記係止突起の外側面には、先端が相対的に小幅となるように、所定の角度で傾斜して形成されて、前記締付孔に締め付けられる前記締付棒を案内する案内斜面が設けられることが好ましい。
【００２１】
また、前記第２のブラケットの締付孔が、相対的小径部と相対的大径部で構成され、前記直径が変わる部分に、前記係止段が設けられることが好ましい。
【００２２】
また、前記第１及び第２のブラケットが、合成樹脂材質で形成されることが好ましい。
【発明の効果】
【００２３】
本発明によると、第１のブラケットに設けられた締付棒が第２のブラケットの締付孔に直接締め付けられるようになっている。従って、前記第１及び第２のブラケットを締め付けるための別途の部品を必要としないので、モータを構成する部品数が少なくなり、製造コストを節減することができる。
【００２４】
また、第１及び第２のブラケットの締付時、別途の道具無しに、前記締付棒が前記締付孔に直接締め付けられる。従って、モータブラケットを簡単に締め付けることができ、モータの組立て及び取外し作業が容易であり、作業の効率性を向上させることができる。
【００２５】
また、前記第１のブラケットが第２のブラケットに締め付けられた状態では、締付棒の係止突起が、前記締付孔の係止段に係止して脱落することがない。従って、結合状態が堅固であり、モータを長期間使用しても、緩くなる恐れがなく、モータの耐久性と動作信頼性が高くなる効果がある。
【００２６】
さらに、前記締付棒と締付孔が設けられる第１及び第２のブラケットは、合成樹脂材質で形成され、前記モータが湿った環境で使用されても、モータブラケットが腐食する恐れがないので、製品に対するより高い信頼性を確保することができる。
【発明を実施するための最良の形態】
【００２７】
以下、本発明の好ましい実施の形態を、添付図面に基づいて詳しく説明する。
【００２８】
図２は、本発明によるモータの好適な実施の形態の構成を示す分解横断面図であり、図３は、本発明による実施の形態の構成が結合された状態を示す横断面図である。
【００２９】
図示のように、固定子１０の周縁を取り囲む複数個の貫通孔１１が設けられている。前記貫通孔１１は、後述する回転子２０の回転軸３０の延長方向に前記固定子１０を貫通して形成される。前記貫通孔１１は、後述する第１のブラケット４０にそれぞれ設けられた締付棒４１が貫通する部分である。前記貫通孔１１の両端には凹部１３が設けられている。前記凹部１３は、前記貫通孔１１の入口の周縁に沿って形成されている。前記凹部１３の内径は、前記貫通孔１１の内径よりも大きい。
【００３０】
また、前記固定子１０には、回転子２０が貫通する貫通部１５が設けられている。前記貫通部１５は、前記固定子１０を貫通して形成されるものであり、前記貫通孔１１の形成方向と同様な方向に形成されている。前記貫通部１５の中心は、前記固定子１０の中心と一致することが好ましい。
【００３１】
回転子２０は、前記固定子１０の貫通部１５に位置する。前記回転子２０には、その回転中心に回転軸３０が設けられている。前記回転軸３０は、回転子２０の両端から互いに反対方向にそれぞれ延長されている。前記回転軸３０が一つであってもよいことは勿論である。前記回転子２０は、固定子１０との電磁相互作用により、回転軸３０を中心にして回転運動をする。このため、前記回転子２０の外面と前記固定子１０の内面、すなわち、前記貫通部１５の内面間は、一定の間隔を維持しなければならない。
【００３２】
前記回転子２０を、前記固定子１０に対して回転自在に支持するために、第１及び第２のブラケット４０、５０が設けられている。前記第１及び第２のブラケット４０、５０は、合成樹脂材質から成形されることが好ましい。これにより、水分が多い場所でもモータを使用することができるようになる。従って、水分が多い場所で使用するものでなければ、他の材質で形成してもよい。
【００３３】
先ず、第１のブラケット４０の構成をみると、前記第１のブラケット４０には、締付棒４１が設けられている。前記締付棒４１は、前記固定子１０の貫通孔１１を貫通して、後述する第２のブラケット５０の締付孔５１に締め付けられる。従って、前記締付棒４１は、前記貫通孔１１との対応位置にそけぞれ設けられる。すなわち、前記第１のブラケット４０の周縁に沿って締付棒４１が一方向に長く突出する。
【００３４】
前記締付棒４１の先端には、前記締付孔５１への締付方向に直交する方向に弾性変更が可能な、少なくとも一対の弾性枝部４２が設けられている。前記弾性枝部４２間の空間を弾性スロット４３という。前記弾性枝部４２は、少なくとも２つが対向して設けられている。
【００３５】
前記弾性枝部４２の先端には、係止突起４４が設けられている。前記係止突起４４は、前記締付棒４１が前記第２のブラケット５０の締付孔５１に締め付けられた状態で、後述する締付孔５１内の係止段５２に係止されるようになる。
【００３６】
前記係止突起４４の外面には案内斜面４５が設けられる。前記案内斜面４５は、所定の角度で傾斜して形成されている。すなわち、前記係止突起４４は、前記締付棒４１の先端側、より正しくは、弾性枝部４２の先端側において相対的に小径となり、弾性枝部４２の基部側において相対的に大径となる。前記案内斜面４５は、前記締付棒４１が前記貫通孔１１と前記締付孔５１に挿入されることを案内し、前記弾性枝部４２を弾性変形させる役割をする。
【００３７】
また、前記締付棒４１の基部に該当する前記第１のブラケット４０には、凸部４６が設けられている。前記凸部４６は、前記固定子１０の凹部１３に挿入される部分であるので、前記凸部４６の外径は、前記凹部１３の内径とほぼ等しく形成される。
【００３８】
前記回転軸３０の一側が貫通する貫通孔４７は、前記第１のブラケット４０の中心を貫通して設けられる。前記貫通孔４７は、前記回転軸３０を回転自在に支持するように設計されている。
【００３９】
前記第２のブラケット５０には、前記締付棒４１が締め付けられる締付孔５１が設けられる。前記締付孔５１は、前記締付棒４１との対応位置にそれぞれ形成される。前記締付孔５１の内部には、係止段５２が設けられている。前記係止段５２は、前記締付孔５１に前記締付棒４１が締め付けられるとき、前記係止突起４４が係止される部分である。前記締付孔５１は、相対的小径部と相対的大径部に分けられるが、前記内径が異なる部分に前記係止段５２が形成される。
【００４０】
また、前記第２のブラケット５０の締付孔５１の入口には、凸部５３が形成される。前記凸部５３は、前記第２のブラケット５０を前記固定子１０に締め付けるとき、前記固定子１０の凹部１３に凹凸嵌合される。従って、前記凸部５３の外径は、前記凹部１３の内径と等しく形成される。
【００４１】
前記回転軸３０の他側が貫通する貫通孔５４は、前記第２のブラケット５０の中心を貫通して設けられる。前記貫通孔５４は、前記回転軸３０を回転自在に支持するように設計されている。
【００４２】
以下、上述した構成を有する本発明によるモータの作用について詳述する。
【００４３】
まず、本発明のモータの組立てについて説明すると、前記固定子１０の貫通部１５を貫通するように、前記回転子２０を位置させる。この状態で、前記第２のブラケット５０を移動させて、前記第２のブラケット５０の凸部５３を、前記固定子１０の凹部１３に凹凸嵌合させる。このとき、前記回転子２０の回転軸３０の一側が、前記第２のブラケット５０の貫通孔５４を貫通するようにする。
【００４４】
次に、前記第１のブラケット４０の締付棒４１を、前記固定子１０の貫通孔１１を貫通した状態で、前記第２のブラケット５０の締付孔５１に締め付けられるようにする。このとき、前記第１のブラケット４０の凸部４６は、前記固定子１０の凹部１３に凹凸嵌合され、前記回転軸３０の他端は、前記第１のブラケット４０の貫通孔４７を貫通する。
【００４５】
ここで、前記締付棒４１が前記第２のブラケット５０の締付孔５１に締め付けられる過程について説明する。前記締付棒４１の先端の弾性枝部４２は、前記締付孔５１に挿入され、最初は相対的小径部を通過する。このときは、前記弾性枝部４２が、前記弾性スロット４３によって相互密着するように弾性変形される。従って、前記弾性枝部４２、特に、前記係止突起４４が前記締付孔５１の相対的小径部を通過することができる。
【００４６】
一旦、前記係止突起４４が前記締付孔５１の相対的小径部を通過すると、前記枝部４２は原形に復元される。従って、前記係止突起４４は、前記締付孔５１の内部の係止段５２に係止されるようになる。
【００４７】
次に、このように組み立てられたモータの動作について説明する。
【００４８】
モータに電源が印加されると、前記回転子２０は、前記固定子１０との電磁相互作用によって回転するようになる。これにより、前記回転子２０の回転軸３０が回転される。前記回転軸３０は、前記第１及び第２のブラケット４０、５０に設けられた貫通孔４７、５４に回転自在に支持されており、前記回転子２０が固定子１０に対して回転すると、一緒に回転する。前記回転軸３０のうち、前記ブラケット４０、５０の外部への突出部分は、回転力を必要とする部分と連結されて、回転力を伝達するようになっている。
【００４９】
本発明の権利範囲は、上述した実施の形態に限定されず、請求の範囲に記載の内容によって定められ、本発明の分野における通常の知識を有する者が、請求の範囲に記載の権利範囲内で、様々な変形と改作が可能なことは自明である。
【図面の簡単な説明】
【００５０】
【図１】従来の技術によるモータを示す分解横断面図である。
【図２】本発明によるモータの好適な実施の形態の構成を示す分解横断面図である。
【図３】本発明による実施の形態の構成を示す横断面図である。
【符号の説明】
【００５１】
１０    固定子
１１    貫通孔
１３    凹部
１５    貫通部
２０    回転子
３０    回転軸
４０    第１のブラケット
４１    締付棒
４２    弾性枝部
４３    弾性スロット
４４    係止突起
４５    案内斜面
４６、５３    凸部
４７、５４    貫通孔
５０    第２のブラケット
５１    締付孔
５２    係止段
【図１】
2006109690.tif 000003
【図２】
2006109690.tif 000004
【図３】
2006109690.tif 000005